(57)【要約】      （修正有）【課題】傘の収納時に中棒が完全にロックされたことを容易に視認できるよう構成して、完全にロックされていない状態で生じる事故を未然に防ぐとともに、かりに急に柄の部分が飛び出して身体の一部にぶつかってもその衝撃を和らげるようにした自動開閉傘の安全構造を提供する。【解決手段】中棒３が柄部６に押し込まれ完全にロックされるときにこの中棒３が柄部６に入り込む部分にマーキングを設けてなるとともに、柄部の少なくとも端部を含む部分をポリウレタン８などの弾性材により構成する。【選択図】図２
0003158659.tif 000002
【実用新案登録請求の範囲】
【請求項１】
傘を閉じ中棒が柄部に押し込まれ完全にロックされたときにこの中棒の柄部に入り込む部分にマーキングを設けてなるとともに、柄部の少なくとも端部をポリウレタンなどの弾性材により構成したことを特徴とする自動開閉傘の安全構造。
【請求項２】
傘を閉じ中棒が柄部に押し込まれ完全にロックされたときにこの中棒の柄部に入り込む部分にマーキングを設けてなることを特徴とする自動開閉傘の安全構造。
【請求項３】
柄部の少なくとも端部をポリウレタンなどの弾性材により構成したことを特徴とする自動開閉傘の安全構造。
【考案の詳細な説明】
【技術分野】
【０００１】
本考案は、自動開閉傘の安全構造に関するものである。
【背景技術】
【０００２】
従前からボタンを押すと自動的に開き、またボタンを押すと自動的に閉じる自動開閉傘は知られている。この自動開閉傘、たとえば米国ではその利便性が受けて傘市場に占めるシェアも高いが、日本ではさほどでもないのはその安全性に原因があるものと推測されている。
自動開閉傘による事故としては、傘の収納時に急に柄の部分が飛び出したという例が少なくない。傘を閉じ、中棒をカチッとロック音がするまで柄の部分に押し込めばほぼ問題はないが、事故が起きる場合は、たいていは中棒を柄の部分に押し込む力が足りず、完全にロックされていない状態で傘にかけた手の力をゆるめたり、あるいは手を放したりしたために、柄が飛び出しあるいは傘先が飛び出して、たとえば顔などを直撃し怪我をしている。
【０００３】
しかし、これまでに知られた自動開閉傘は、この種の事故の防止策として、顔の近くで開閉操作をしない、といった使用上の注意に止まっていたものである。
【先行技術文献】
【特許文献】
【０００４】
【特許文献１】特開平０５−０３１００３号公報
【考案の概要】
【考案が解決しようとする課題】
【０００５】
解決しようとする問題点は、傘の収納時に中棒が完全にロックされたことを容易に視認できるよう構成して、完全にロックされていない状態で生じる事故を未然に防ぐとともに、かりに急に柄の部分が飛び出して身体の一部にぶつかってもその衝撃を和らげるようにした自動開閉傘の安全構造を提供することにある。
【課題を解決するための手段】
【０００６】
本考案は、自動開閉傘はそのロック機構上、傘収納時に傘を閉じ中棒が柄部に押し込まれ完全にロックされた後に、中棒の一部は若干外部へ戻ることに着目して、中棒が柄部に押し込まれ完全にロックされるときにこの中棒が柄部に入り込む部分にマーキングを備えてなるものである。
また、柄部の少なくとも端部を含む部分をポリウレタンなどの弾性材により構成したものである。
【考案の効果】
【０００７】
本考案の自動開閉傘の安全構造は、傘を閉じ中棒が柄部に押し込まれ完全にロックされたときにこの中棒の柄部に入り込む部分にマーキングを設けているから、傘収納時に傘を閉じ、中棒を柄部に押し込む際に、このマーキングを見ながら操作を行なえば、中棒のマーキングが柄部に入り込み、見えなくなれば、中棒は完全にロックされた位置に達していることが容易にわかり、これにより完全にロックされていない状態で生じる事故を未然に防ぐ。
また柄部の少なくとも端部をポリウレタンなどの弾性材により構成されているので、かりに急に柄の部分が飛び出して身体の一部にぶつかってもその衝撃を和らげることができる。
【図面の簡単な説明】
【０００８】
【図１】図１は本考案に係る自動開閉傘の安全構造に使用した自動開閉傘を開ボタン操作で開いた状態を示す概略正面図である。
【図２】図２は自動開閉傘を閉ボタン操作で閉じた状態を示す概略斜視図である。
【図３】図３は自動開閉傘の傘布を束ねて収納する状態を示す概略説明図である。
【図４】図４は中棒３が柄部６に押し込まれ完全にロックされた状態を示す概略説明図である。
【図５】図５は完全にロックされた後に、中棒３が若干戻った状態を示す概略説明図である。
【考案を実施するための形態】
【０００９】
本考案は、自動開閉傘の中棒が柄部に押し込まれ完全にロックされるときにこの中棒が柄部に入り込む部分にマーキングを設けてなるものである。
また、柄部の少なくとも端部を含む部分をポリウレタンなどの弾性材により構成したものである。
【実施例１】
【００１０】
図１から図５は、本考案に係る自動開閉傘の安全構造の実施の一例を示している。この実施例に示される自動開閉傘１は、使用時に開ボタン２を押すと中棒３が自動的に伸びて傘が開き、収納時に閉ボタン４を押すと傘の内側布５が外に露出するように閉じ（傘収納時に手を濡らさずに収納できるメリットがある）、また中棒３は自動的に縮まず、手操作で柄部６に押し込む折りたたみタイプを使用している。  
前記中棒３は最上段シャフト３a、２段目シャフト３ｂ、手元シャフト３ｃからなる多段式であり、前記中棒３が柄部６に押し込まれ完全にロックされた状態にこの最上部シャフト３aの柄部６に入り込む部分の外周に沿ってマーキングとして帯７が印刷されている。
したがって、実際の使用において、傘収納時に、図３に示されるように、傘布を束ねて中棒３を押し込み、図４に示されるように、この中棒３が柄部６に押し込まれ完全にロックされた状態においては、この最上部シャフト３aの柄部６に入り込む部分の外周に沿ってマーキングとして印刷された帯７は柄部６に押し込まれて見えない。言い換えれば、この帯７が見えなくなれば中棒３は柄部６内のロック機構（図示しない）により完全にロックされた状態になっていることを意味している。そして、図５に示されるように、完全にロックされた後に、中棒３はそのロック機構上若干戻るから、帯７も再び視認することができる。
また、柄部６の端部をポリウレタン８により塗装しているから、かりに急に柄の部分が飛び出して身体の一部にぶつかってもポリウレタン８の弾性によりその衝撃を和らげることができる。
図中、９は傘の外側布、１０は下ロクロである。
【００１１】
尚、上記実施例においては、マーキングとして帯印刷を施したが、マーキングとして機能する限り、印刷手段に限定されることなく、どのような技術手段によってマーキングを中棒に設けるようにしてもよい。マーキングの形状や模様なども任意に選択すればよい。また、柄部６の端部にポリウレタン塗装を施したが、ポリウレタン塗装に限定されることなく、柄部６の少なくとも端部を含む部分に弾性を付加するものであればどのような弾性材を使用してもよく、形状にもこだわらない。さらに、上記実施例では収納時に閉ボタン４を押すと傘の内側布が外に露出するように閉じる自動開閉傘に使用したが、これに限らず、傘収納時に傘を閉じ中棒が柄部に押し込まれ完全にロックされた後に、中棒の一部が若干外部へ戻るロック機構を備える自動開閉傘であればどれにでも適用できる。
【産業上の利用可能性】
【００１２】
本考案の自動開閉傘の安全構造は、傘を閉じ中棒が柄部に押し込まれ完全にロックされたときにこの中棒の柄部に入り込む部分にマーキングを設けているから、傘収納時に傘を閉じ、中棒を柄部に押し込む際に、このマーキングを見ながら操作を行なえば、中棒の柄の部分の施されたマーキングを柄部に入り込み見えなくなれば、中棒は完全にロックされた位置に達していることが容易に視認できるから、これにより完全にロックされていない状態で生じる事故を未然に防ぐ顕著な効果が得られる。
また柄部の少なくとも端部をポリウレタンなどの弾性材により構成されているので、かりに急に柄の部分が飛び出して身体の一部にぶつかってもその衝撃を和らげることができる効果も得られる。
【符号の説明】
【００１３】
１    自動開閉傘
２    開ボタン
３    中棒
４    閉ボタン
５    傘の内側布
６    柄部
７    帯
８    ポリウレタン
９    傘の外側布
１０    下ロクロ
【図１】
0003158659.tif 000003
【図２】
0003158659.tif 000004
【図３】
0003158659.tif 000005
【図４】
0003158659.tif 000006
【図５】
0003158659.tif 000007
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
傘を閉じ中棒が柄部に押し込まれ完全にロックされた状態にこの中棒の柄部に入り込む部分にマーキングを設けてなるとともに、柄部の少なくとも端部をポリウレタンのごとき弾性材により構成したことを特徴とする自動開閉傘の安全構造。
【請求項２】
傘を閉じ中棒が柄部に押し込まれ完全にロックされた状態にこの中棒の柄部に入り込む部分にマーキングを設けてなることを特徴とする自動開閉傘の安全構造。
【請求項３】
柄部の少なくとも端部をポリウレタンのごとき弾性材により構成したことを特徴とする請求項１又は２記載の自動開閉傘の安全構造。
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
傘を閉じ中棒が柄部に押し込まれ完全にロックされた状態にこの中棒の柄部に入り込む部分にマーキングを設けてなるとともに、柄部の少なくとも端部を弾性材により構成したことを特徴とする自動開閉傘の安全構造。
【請求項２】
傘を閉じ中棒が柄部に押し込まれ完全にロックされた状態にこの中棒の柄部に入り込む部分にマーキングを設けてなることを特徴とする自動開閉傘の安全構造。
【請求項３】
柄部の少なくとも端部をポリウレタンからなる弾性材により構成したことを特徴とする請求項１又は２記載の自動開閉傘の安全構造。